(57)【要約】【課題】透視画像が撮像される被験者の撮像部位に造影剤を簡単な操作で適切に注入できる薬液注入装置を提供する。【解決手段】人体の多数の撮像部位ごとに薬液注入機構１２３，１２４の動作条件をデータ記憶しており、人体の複数の身体区分と多数の撮像部位との模式画像を関連させてデータ記憶しており、複数の身体区分の模式画像を人体形状に対応して表示出力する。画像表示された複数の身体区分から１つが選択操作されると、対応する複数の撮像部位の模式画像を表示出力し、その１つが選択操作されると対応する動作条件をデータ読出して薬液注入機構１２３，１２４を動作制御する。このため、作業者が手動操作で身体区分を模式画像で選択してから撮像部位を模式画像で選択すれば、その撮像部位に対応した動作条件で被験者に造影剤が注入される。【選択図】  図１
2004248734.tif 000002
【特許請求の範囲】
【請求項１】
透視撮像装置で透視画像が撮像される被験者に少なくとも造影剤を注入する薬液注入装置であって、
前記被験者に少なくとも前記造影剤を注入する薬液注入機構と、
人体の多数の撮像部位ごとに前記薬液注入機構の動作条件をデータ記憶している条件記憶手段と、
人体の複数の身体区分と多数の撮像部位との模式画像を関連させてデータ記憶している画像記憶手段と、
複数の前記身体区分の模式画像を前記人体形状に対応して表示出力する区分表示手段と、
画像表示された複数の前記身体区分から１つを選択する入力操作を受け付ける区分入力手段と、
選択された前記身体区分に対応して少なくとも１つの前記撮像部位の模式画像を表示出力する部位表示手段と、
画像表示された前記撮像部位を選定する入力操作を受け付ける部位入力手段と、
選定された前記撮像部位に対応する前記動作条件をデータ読出する動作読出手段と、
データ読出された前記動作条件で前記薬液注入機構を動作制御する注入制御手段と、
を有している薬液注入装置。
【請求項２】
前記薬液注入機構は、前記造影剤を注入する造影注入機構と生理食塩水を注入する生食注入機構からなり、
前記条件記憶手段は、前記撮像部位ごとに前記造影注入機構と前記生食注入機構とを連動させる動作条件がデータ登録されており、
前記注入制御手段は、データ読出された前記動作条件で前記造影注入機構と前記生食注入機構とを連動させて動作制御する請求項１に記載の薬液注入装置。
【請求項３】
前記条件記憶手段は、前記造影剤の注入速度を時間経過により変化させて前記透視画像の造影度を所望範囲に維持する可変パターンを前記動作条件としてデータ記憶しており、
前記注入制御手段は、前記可変パターンに対応して前記薬液注入機構の動作速度を経時的に変化させる請求項１または２に記載の薬液注入装置。
【請求項４】
前記条件記憶手段は、前記造影剤による前記透視画像の造影度が最適値に近似する状態を維持する前記可変パターンをデータ記憶している請求項３に記載の薬液注入装置。
【請求項５】
前記透視画像の撮像に関連する前記人体の各々複数の各種の身体事項を表示出力する身体表示手段と、表示出力された少なくとも１種の複数の前記身体事項から１つを選択する入力操作を受け付ける身体入力手段と、も有しており、
前記条件記憶手段は、前記動作条件を複数の前記身体事項ごとにもデータ記憶しており、
前記動作読出手段は、選択された前記身体事項にも対応して前記動作条件をデータ読出する請求項１ないし４の何れか一項に記載の薬液注入装置。
【請求項６】
前記透視画像の撮像に関連する前記人体の各々複数の各種の身体事項を表示出力する身体表示手段と、
表示出力された少なくとも１種の複数の前記身体事項から１つを選択する入力操作を受け付ける身体入力手段と、
選択された前記身体事項に対応して前記動作条件を調整する動作調整手段と、も有している請求項１ないし４の何れか一項に記載の薬液注入装置。
【請求項７】
前記透視画像の撮像に関連する前記人体の身体事項がデータ入力される身体入力手段と、
データ入力された前記身体事項に対応して前記動作条件を調整する動作調整手段と、
も有している請求項１ないし４の何れか一項に記載の薬液注入装置。
【請求項８】
前記被験者ごとに前記身体事項がデータ登録されている情報記憶媒体が着脱自在に装填される媒体装填手段も有しており、
前記身体入力手段は、装填された前記情報記憶媒体から前記身体事項をデータ入力する請求項７に記載の薬液注入装置。
【請求項９】
前記身体入力手段は、前記被験者ごとに前記身体事項がデータ登録されている外部のデータベース装置から前記身体事項をオンラインでデータ入力する請求項７に記載の薬液注入装置。
【請求項１０】
前記身体入力手段は、前記被験者から前記身体事項をデータ検出してデータ入力する請求項７に記載の薬液注入装置。
【請求項１１】
前記身体事項が、体重、体型、年齢、性別、の少なくとも１つからなる請求項５ないし１０の何れか一項に記載の薬液注入装置。
【請求項１２】
前記造影剤は、前記透視画像の撮像に関連する薬液事項が相違する複数種類があり、
複数の前記造影剤の種類を表示出力する薬液表示手段と、表示出力された前記種類から１つを選択する入力操作を受け付ける薬液入力手段と、も有しており、
前記条件記憶手段は、前記動作条件を複数の前記造影剤の種類ごとにもデータ記憶しており、
前記動作読出手段は、選択された前記種類にも対応して前記動作条件をデータ読出する請求項１ないし１１の何れか一項に記載の薬液注入装置。
【請求項１３】
前記造影剤は、前記透視画像の撮像に関連する薬液事項が相違する複数種類があり、
複数の前記造影剤の種類ごとに前記薬液事項をデータ記憶している薬液記憶手段と、
複数の前記造影剤の種類を表示出力する薬液表示手段と、
表示出力された前記種類から１つを選択する入力操作を受け付ける薬液入力手段と、
選択された前記種類に対応して前記薬液事項をデータ読出する薬液読出手段と、
データ読出された前記薬液事項に対応して前記動作条件を調整する動作調整手段と、
も有している請求項１ないし１１の何れか一項に記載の薬液注入装置。
【請求項１４】
前記造影剤は、前記透視画像の撮像に関連する薬液事項が相違する複数種類があり、
複数の前記造影剤の種類ごとに前記薬液事項をデータ記憶している薬液記憶手段と、
前記造影剤の種類がデータ入力される薬液入力手段と、
データ入力された前記種類に対応して前記薬液事項をデータ読出する薬液読出手段と、
データ読出された前記薬液事項に対応して前記動作条件を調整する動作調整手段と、
も有している請求項１ないし１１の何れか一項に記載の薬液注入装置。
【請求項１５】
前記造影剤は、前記透視画像の撮像に関連する薬液事項が相違する複数種類があり、
複数の前記薬液事項を表示出力する薬液表示手段と、表示出力された前記薬液事項から１つを選択する入力操作を受け付ける薬液入力手段と、も有しており、
前記条件記憶手段は、前記動作条件を複数の前記薬液事項ごとにもデータ記憶しており、
前記動作読出手段は、選択された前記薬液事項にも対応して前記動作条件をデータ読出する請求項１ないし１１の何れか一項に記載の薬液注入装置。
【請求項１６】
前記造影剤は、前記透視画像の撮像に関連する薬液事項が相違する複数種類があり、
複数の前記薬液事項を表示出力する薬液表示手段と、
表示出力された前記薬液事項から１つを選択する入力操作を受け付ける薬液入力手段と、
選択された前記薬液事項に対応して前記動作条件を調整する動作調整手段と、も有している請求項１ないし１１の何れか一項に記載の薬液注入装置。
【請求項１７】
前記造影剤は、前記透視画像の撮像に関連する薬液事項が相違する複数種類があり、
前記薬液事項がデータ入力される薬液入力手段と、
データ入力された前記薬液事項に対応して前記動作条件を調整する動作調整手段と、
も有している請求項１ないし１１の何れか一項に記載の薬液注入装置。
【請求項１８】
前記薬液事項が有効成分の含有濃度からなる請求項１２ないし１７の何れか一項に記載の薬液注入装置。
【請求項１９】
前記透視撮像装置は、前記透視画像の撮像に関連する撮像事項が相違する複数種類があり、
複数の前記透視撮像装置の種類を表示出力する撮像表示手段と、表示出力された前記種類から１つの選択データが入力される撮像入力手段と、も有しており、
前記条件記憶手段は、前記動作条件を複数の前記透視撮像装置の種類ごとにもデータ記憶しており、
前記動作読出手段は、選択された前記種類にも対応して前記動作条件をデータ読出する請求項１ないし１８の何れか一項に記載の薬液注入装置。
【請求項２０】
前記透視撮像装置は、前記透視画像の撮像に関連する撮像事項が相違する複数種類があり、
複数の前記透視撮像装置の種類ごとに前記撮像事項をデータ記憶している撮像記憶手段と、
複数の前記透視撮像装置の種類を表示出力する撮像表示手段と、
表示出力された前記種類から１つの選択データが入力される撮像入力手段と、
選択された前記種類に対応して前記撮像事項をデータ読出する撮像読出手段と、
データ読出された前記撮像事項に対応して前記動作条件を調整する動作調整手段と、
も有している請求項１ないし１８の何れか一項に記載の薬液注入装置。
【請求項２１】
前記透視撮像装置は、前記透視画像の撮像に関連する撮像事項が相違する複数種類があり、
複数の前記撮像事項を表示出力する撮像表示手段と、表示出力された前記撮像事項から１つの選択データが入力される撮像入力手段と、も有しており、
前記条件記憶手段は、前記動作条件を複数の前記撮像事項ごとにもデータ記憶しており、
前記動作読出手段は、選択された前記撮像事項にも対応して前記動作条件をデータ読出する請求項１ないし１８の何れか一項に記載の薬液注入装置。
【請求項２２】
前記透視撮像装置は、前記透視画像の撮像に関連する撮像事項が相違する複数種類があり、
複数の前記撮像事項を表示出力する撮像表示手段と、
表示出力された前記撮像事項から１つの選択データが入力される撮像入力手段と、
選択された前記撮像事項に対応して前記動作条件を調整する動作調整手段と、も有している請求項１ないし１８の何れか一項に記載の薬液注入装置。
【請求項２３】
前記透視撮像装置は、前記透視画像の撮像に関連する撮像事項が相違する複数種類があり、
前記撮像事項がデータ入力される撮像入力手段と、
データ入力された前記撮像事項に対応して前記動作条件を調整する動作調整手段と、
も有している請求項１ないし１８の何れか一項に記載の薬液注入装置。
【請求項２４】
前記撮像入力手段は、前記選択データの入力操作を受け付ける請求項１９ないし２２の何れか一項に記載の薬液注入装置。
【請求項２５】
前記透視撮像装置ごとに前記選択データが登録されている情報記憶媒体が着脱自在に装填される媒体装填手段も有しており、
前記撮像入力手段は、装填された前記情報記憶媒体から前記選択データを入力する請求項１９ないし２２の何れか一項に記載の薬液注入装置。
【請求項２６】
前記撮像入力手段は、前記透視撮像装置から前記選択データがオンラインでデータ入力される請求項１９ないし２２の何れか一項に記載の薬液注入装置。
【請求項２７】
前記透視撮像装置ごとに前記撮像事項がデータ登録されている情報記憶媒体が着脱自在に装填される媒体装填手段も有しており、
前記撮像入力手段は、装填された前記情報記憶媒体から前記撮像事項をデータ入力する請求項２３に記載の薬液注入装置。
【請求項２８】
前記撮像入力手段は、前記透視撮像装置から前記撮像事項がオンラインでデータ入力される請求項２３に記載の薬液注入装置。
【請求項２９】
前記撮像事項が前記透視画像の撮像速度からなる請求項１９ないし２８の何れか一項に記載の薬液注入装置。
【請求項３０】
前記動作条件がデータ登録されている情報記憶媒体が着脱自在に装填される媒体装填手段と、
装填された前記情報記憶媒体から前記動作条件をデータ読出して前記条件記憶手段の前記動作条件をデータ更新する条件更新手段と、
も有している請求項１ないし２９の何れか一項に記載の薬液注入装置。
【請求項３１】
前記動作条件をオンラインでデータ入力する条件入力手段と、
データ入力された前記動作条件で前記条件記憶手段の前記動作条件をデータ更新する条件更新手段と、
も有している請求項１ないし２９の何れか一項に記載の薬液注入装置。
【請求項３２】
前記動作条件を表示出力する動作表示手段と、
表示出力された前記動作条件をデータ修正する手動操作を受け付ける動作入力手段と、
データ修正された前記動作条件で前記条件記憶手段の前記動作条件をデータ更新する条件更新手段と、
も有している請求項１ないし３１の何れか一項に記載の薬液注入装置。
【請求項３３】
選定された前記撮像部位に対応してデータ読出された前記動作条件を表示出力する動作表示手段と、
表示出力された前記動作条件をデータ修正する手動操作を受け付ける動作入力手段と、
手動操作に対応して前記動作条件をデータ修正する動作調整手段と、
も有している請求項１ないし３２の何れか一項に記載の薬液注入装置。
【請求項３４】
少なくとも前記造影剤が充填されているシリンダ部材にピストン部材がスライド自在に挿入されている薬液シリンジを着脱自在に保持する注入ヘッドと、前記注入ヘッドに並設されていて各種データを表示出力するディスプレイパネルと、を有しており、
前記薬液注入機構は、前記注入ヘッドに保持された前記薬液シリンジのシリンダ部材とピストン部材とを相対移動させ、
前記区分表示手段は、前記ディスプレイパネルに前記身体区分の模式画像を表示出力させ、
前記部位表示手段は、前記ディスプレイパネルに前記撮像部位の模式画像を表示出力させる請求項１ないし３３の何れか一項に記載の薬液注入装置。
【請求項３５】
前記ディスプレイパネルが手動操作を検出するタッチパネルからなり、
前記区分入力手段は、前記タッチパネルに画像表示された複数の前記身体区分の模式画像の１つへの手動操作を検出し、
前記部位入力手段は、前記タッチパネルに画像表示された前記撮像部位の模式画像の１つへの手動操作を検出する請求項３４に記載の薬液注入装置。
【請求項３６】
前記被験者に注入される少なくとも前記造影剤の圧力をリアルタイムに検出する圧力検出手段と、
検出される前記圧力を前記ディスプレイパネルにリアルタイムに表示出力させる圧力表示手段と、
も有している請求項３４または３５に記載の薬液注入装置。
【請求項３７】
透視撮像装置で透視画像が撮像される被験者に薬液注入機構で少なくとも造影剤を注入する薬液注入装置の薬液注入方法であって、
人体の多数の撮像部位ごとに前記薬液注入機構の動作条件をデータ記憶しておく条件記憶工程と、
人体の複数の身体区分と多数の撮像部位との模式画像を関連させてデータ記憶しておく画像記憶工程と、
複数の前記身体区分の模式画像を前記人体形状に対応して表示出力する区分表示工程と、
画像表示された複数の前記身体区分から１つを選択する入力操作を受け付ける区分入力工程と、
選択された前記身体区分に対応して少なくとも１つの前記撮像部位の模式画像を表示出力する部位表示工程と、
画像表示された前記撮像部位を選定する入力操作を受け付ける部位入力工程と、
選定された前記撮像部位に対応する前記動作条件をデータ読出する動作読出工程と、
データ読出された前記動作条件で前記薬液注入機構を動作制御する注入制御工程と、
を有している薬液注入方法。
【請求項３８】
透視撮像装置で透視画像が撮像される被験者に薬液注入機構で少なくとも造影剤を注入する薬液注入装置のためのコンピュータプログラムであって、
人体の多数の撮像部位ごとに前記薬液注入機構の動作条件をデータ記憶しておく条件記憶処理と、
人体の複数の身体区分と多数の撮像部位との模式画像を関連させてデータ記憶しておく画像記憶処理と、
複数の前記身体区分の模式画像を前記人体形状に対応して表示出力する区分表示処理と、
画像表示された複数の前記身体区分から１つを選択する入力操作を受け付ける区分入力処理と、
選択された前記身体区分に対応して少なくとも１つの前記撮像部位の模式画像を表示出力する部位表示処理と、
画像表示された前記撮像部位を選定する入力操作を受け付ける部位入力処理と、
選定された前記撮像部位に対応する前記動作条件をデータ読出する動作読出処理と、
データ読出された前記動作条件で前記薬液注入機構を動作制御する注入制御処理と、
を前記薬液注入装置に実行させるためのコンピュータプログラム。
【請求項３９】
透視撮像装置で透視画像が撮像される被験者に薬液注入機構で少なくとも造影剤を注入する薬液注入装置のためのコンピュータプログラムがデータ格納されている情報記憶媒体であって、
請求項３８に記載のコンピュータプログラムがデータ格納されている情報記憶媒体。
【発明の詳細な説明】
【０００１】
【発明の属する技術分野】
本発明は、被験者に薬液を注入する薬液注入装置に関し、特に、ＣＴ（Ｃｏｍｐｕｔｅｄ  Ｔｏｍｏｇｒａｐｈｙ）スキャナやＭＲＩ（Ｍａｇｎｅｔｉｃ  Ｒｅｓｏｎａｎｃｅ  Ｉｍａｇｉｎｇ）装置やアンギオ装置などの透視撮像装置で透視画像が撮像される被験者に造影剤を注入する薬液注入装置に関する。
【０００２】
【従来の技術】
現在、被験者の透視画像である断層画像を撮像する透視撮像装置としては、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置、等があり、被験者の透視画像である血管画像を撮像する医療装置としては、ＣＴアンギオ装置、ＭＲＡ（ＭＲ  Ａｎｇｉｏ）装置、等がある。
【０００３】
上述のような装置を使用するとき、被験者に造影剤や生理食塩水などの薬液を注入することがあり、この注入を自動的に実行する薬液注入装置も実用化されている。このような薬液注入装置は、例えば、駆動モータやスライダ機構を有しており、薬液シリンジが着脱自在に装着される。
【０００４】
その薬液シリンジはシリンダ部材にピストン部材がスライド自在に挿入された構造からなり、そのシリンダ部材に造影剤や生理食塩水が充填される。このような薬液シリンジを延長チューブで被験者に連結して薬液注入機構に装着すると、薬液注入装置は、薬液注入機構でピストン部材とシリンダ部材とを個別に保持して相対移動させるので、薬液シリンジから被験者に造影剤が注入される。
【０００５】
その場合、作業者が各種条件を考慮して造影剤の注入速度や注入総量などを決定し、それを薬液注入装置にデータ入力すると、この薬液注入装置は入力データに対応して造影剤を被験者に注入する。この造影剤の注入により被験者の造影度が変化するので、透視撮像装置により良好な透視画像が撮像されることになる。
【０００６】
なお、薬液注入装置には造影剤とともに生理食塩水も被験者に注入できる製品があり、その場合、作業者は所望により造影剤の注入完了に連動して生理食塩水を注入することを注入速度や注入総量などとともに薬液注入装置にデータ入力する。
【０００７】
すると、この薬液注入装置は、被験者に入力データに対応して造影剤を注入してから、自動的に生理食塩水も注入する。このため、造影剤を生理食塩水で後押しして造影剤の消費量を削減することや、生理食塩水によりアーチファクトを軽減することができる。
【０００８】
なお、上述のような薬液注入装置は、本出願人などにより過去に発明されて出願されている（例えば、特許文献１，２参照）。
【０００９】
【特許文献１】
特開２００２−１１０９６号  （第２−３頁、第１１−１４図）
【００１０】
【特許文献２】
特開２００２−１０２３４３号  （第２−３頁、第８図）
【００１１】
【発明が解決しようとする課題】
上述のような薬液注入装置では、透視撮像装置が良好な透視画像を撮像できる状態に被験者の造影度を変化させるため、被験者に造影剤を注入することができる。
【００１２】
しかし、被験者に造影剤を適正速度で適正容量のみ注入するため、作業者は被験者の撮像部位や体重などを考慮して造影剤の注入速度や注入総量などを決定し、これを薬液注入装置に数値入力する必要がある。このため、その作業が煩雑で熟達していない作業者には困難であり、適切でない数値が入力操作されることを防止できない。
【００１３】
特に、現在の造影剤は有効成分の濃度が相違する複数種類が市販されているため、作業者は造影剤の種類も考慮して造影剤の注入速度や注入総量などを薬液注入装置に数値入力する必要があり、さらに作業が煩雑となっている。しかも、前述のように造影剤と生理食塩水とを被験者に注入する薬液注入装置の場合、作業者は造影剤と生理食塩水との両方の注入速度や注入総量を数値入力する必要があり、さらに作業負担が倍加している。
【００１４】
本発明は上述のような課題に鑑みてなされたものであり、簡単な操作で被験者に造影剤を最適な条件で注入することができる薬液注入装置を提供することを目的とする。
【００１５】
【課題を解決するための手段】
本発明の薬液注入装置は、透視撮像装置で透視画像が撮像される被験者に薬液注入機構で少なくとも造影剤を注入するため、薬液注入機構、条件記憶手段、画像記憶手段、区分表示手段、区分入力手段、部位表示手段、部位入力手段、動作読出手段、注入制御手段、を有している。
【００１６】
条件記憶手段は、人体の多数の撮像部位ごとに薬液注入機構の動作条件をデータ記憶しており、画像記憶手段は、人体の複数の身体区分と多数の撮像部位との模式画像を関連させてデータ記憶している。区分表示手段は、複数の身体区分の模式画像を人体形状に対応して表示出力し、区分入力手段は、画像表示された複数の身体区分から１つを選択する入力操作を受け付ける。部位表示手段は、選択された身体区分に対応して少なくとも１つの撮像部位の模式画像を表示出力し、部位入力手段は、画像表示された撮像部位を選定する入力操作を受け付ける。動作読出手段は、選定された撮像部位に対応する動作条件をデータ読出し、注入制御手段は、データ読出された動作条件で薬液注入機構を動作制御する。
【００１７】
このため、本発明の薬液注入装置では、作業者が手動操作で身体区分を模式画像で選択してから撮像部位を模式画像で選択すれば、その撮像部位に最適な動作条件で被験者に造影剤が注入されるので、作業者が注入速度や注入総量などを数値入力する必要がない。
【００１８】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置の内部に実現された所定の機能、これらの組み合わせ、等で良い。
【００１９】
また、本発明で云う各種手段は、個々に独立した存在である必要もなく、複数の手段が１個の装置として形成されていること、ある手段が他の手段の一部であること、ある手段の一部と他の手段の一部とが重複していること、等も可能である。
【００２０】
また、本発明で云うコンピュータ装置とは、コンピュータプログラムをデータ読取して対応する処理動作を実行できるハードウェアであれば良く、例えば、ＣＰＵ（Ｃｅｎｔｒａｌ  Ｐｒｏｃｅｓｓｉｎｇ  Ｕｎｉｔ）を主体として、これに、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、Ｉ／Ｆ（Ｉｎｔｅｒｆａｃｅ）ユニット、等の各種デバイスが接続されたハードウェアなどで良い。
【００２１】
なお、本発明でコンピュータプログラムに対応した各種動作をコンピュータ装置に実行させることは、各種デバイスをコンピュータ装置に動作制御させることなども意味している。例えば、コンピュータ装置に各種データを記憶させることは、コンピュータ装置に固定されているＲＡＭ等の情報記憶媒体にＣＰＵが各種データを格納すること、コンピュータ装置に交換自在に装填されているＦＤ（Ｆｌｅｘｉｂｌｅ  Ｄｉｓｃ−ｃａｒｔｒｉｄｇｅ）等の情報記憶媒体にＣＰＵがＦＤＤ（ＦＤ  Ｄｒｉｖｅ）で各種データを格納すること、等で良い。
【００２２】
また、本発明で云う情報記憶媒体とは、コンピュータ装置に各種処理を実行させるためのコンピュータプログラムが事前に格納されたハードウェアであれば良く、例えば、コンピュータ装置に固定されているＲＯＭおよびＨＤＤ（Ｈａｒｄ  Ｄｉｓｃ  Ｄｒｉｖｅ）、コンピュータ装置に交換自在に装填されるＣＤ（Ｃｏｍｐａｃｔ  Ｄｉｓｃ）−ＲＯＭおよびＦＤ、等で実施することが可能である。
【００２３】
【発明の実施の形態】
［実施の形態の構成］
本発明の実施の一形態を図面を参照して以下に説明する。本実施の形態の薬液注入装置１００は、図４に示すように、スタンド１０２の上端に装置本体１０３が装着されており、装置本体１０３には、操作パネル１０４、ディスプレイパネルであるタッチパネル１０５、情報記憶媒体であるＰＣカード１０６のカードドライブ１０７が搭載されている。この装置本体１０３の側部には可動アーム１０８が装着されており、この可動アーム１０８の上端にシリンジ保持部材である注入ヘッド１１０が装着されている。
【００２４】
この注入ヘッド１１０は、図３に示すように、シリンジ保持部材１１１の上面にシリンジ保持機構として２つの凹部１１２が形成されており、これらの凹部１１２にシリンジ２００のシリンダ部材２０１が個々に着脱自在に保持される。シリンジ２００は、シリンダ部材２０１とピストン部材２０２からなり、シリンダ部材２０１にピストン部材２０２がスライド自在に挿入されている。
【００２５】
注入ヘッド１１０の２つの凹部１１２の後方には、２個のシリンジ駆動機構１２０が個々に配置されており、これらのシリンジ駆動機構１２０は、凹部１１２に保持されたシリンジ２００のピストン部材２０２を個々に把持してスライドさせる。
【００２６】
シリンジ駆動機構１２０は、超音波モータなどの駆動モータ１２１を駆動源として個々に有しており、ネジ機構（図示せず）などによりピストン部材２０２をスライド移動させる。また、シリンジ駆動機構１２０は、感圧素子であるロードセル１２２も内蔵されており、このロードセル１２２により２個の薬液シリンジ２００のピストン部材２０２が押圧される圧力を個々に検出する。
【００２７】
注入ヘッド１１０の２つの凹部１１２には、薬液として造影剤が充填されている薬液シリンジ２００と、薬液として生理食塩水が充填されている薬液シリンジ２００と、が個々に装着されるので、これら２つの凹部１１２と２個のシリンジ駆動機構１２０により、被験者に造影剤を注入する造影注入機構１２３と生理食塩水を注入する生食注入機構１２４とが薬液注入機構として形成されている。
【００２８】
なお、本形態の薬液注入装置１００は、図５に示すように、透視撮像装置であるＣＴスキャナ３００の近傍に配置され、そのＣＴスキャナ３００で透視画像が撮像される被験者に造影剤および生理食塩水を注入する。ＣＴスキャナ３００は、撮像ユニット３０１と制御ユニット３０２とを有しており、その制御ユニット３０２は本形態の薬液注入装置１００にもオンライン接続される。
【００２９】
図２に示すように、本形態の薬液注入装置１００は、コンピュータユニット１３０を有しており、このコンピュータユニット１３０が、２個のシリンジ駆動機構１２０の駆動モータ１２１と操作パネル１０４とタッチパネル１０５とに接続されている。
【００３０】
コンピュータユニット１３０は、いわゆるワンチップマイコンからなり、ＣＰＵ（Ｃｅｎｔｒａｌ  Ｐｒｏｃｅｓｓｉｎｇ  Ｕｎｉｔ）１３１、ＲＯＭ（Ｒｅａｄ  Ｏｎｌｙ  Ｍｅｍｏｒｙ）１３２、ＲＡＭ（Ｒａｎｄｏｍ  Ａｃｃｅｓｓ  Ｍｅｍｏｒｙ）１３３、Ｉ／Ｆ（Ｉｎｔｅｒｆａｃｅ）１３４、等のハードウェアを有している。コンピュータユニット１３０は、そのＲＯＭ１３２などの情報記憶媒体に適切なコンピュータプログラムがファームウェアなどで実装されており、そのコンピュータプログラムに対応してＣＰＵ１３１が各種の処理動作を実行する。
【００３１】
コンピュータユニット１３０は、上述のように実装されているコンピュータプログラムに対応して動作することにより、図１に示すように、画像記憶手段１４１、区分表示手段１４２、区分入力手段１４３、部位表示手段１４４、部位入力手段１４６、条件記憶手段１４７、動作読出手段１４８、身体入力手段１４９、薬液記憶手段１５１、薬液表示手段１５２、薬液入力手段１５３、薬液読出手段１５４、動作調整手段１５６、動作表示手段１５７、動作入力手段１５８、注入制御手段１５９、圧力検出手段１６１、圧力表示手段１６２、条件更新手段１６３、等の各種手段を各種機能として論理的に有している。
【００３２】
各記憶手段１４１，１５１，１４７は、上述のコンピュータプログラムに対応してＣＰＵ１３１がデータ認識するようにＲＡＭ１３３に構築された記憶エリアなどに相当し、各読出手段１４８，１５４は、ＣＰＵ１３１がＲＡＭ１３３の記憶データを読み出す機能などに相当する。
【００３３】
各表示手段１４２，１４４，１５２，１５７，１６２は、ＣＰＵ１３１がＲＡＭ１３３の記憶データをタッチパネル１０５に表示出力させる機能などに相当し、各入力手段１４３，１４６，１４９，１５３，１５８は、ＣＰＵ１３１がタッチパネル１０５への入力操作をデータ認識する機能などに相当する。
【００３４】
画像記憶手段１４１は、人体の複数の身体区分と多数の撮像部位との模式画像を関連させてデータ記憶しており、区分表示手段１４２は、画像記憶手段１４１がデータ記憶している複数の身体区分の模式画像を人体形状に対応して表示出力する。
【００３５】
区分入力手段１４３は、区分表示手段１４２で画像表示された複数の身体区分から１つを選択する入力操作を受け付け、部位表示手段１４４は、区分入力手段１４３で選択された身体区分に対応して少なくとも１つの撮像部位の模式画像を表示出力し、部位入力手段１４６は、部位表示手段１４４で画像表示された撮像部位を選定する入力操作を受け付ける。
【００３６】
より具体的には、本形態の薬液注入装置１００では、複数の身体区分として“頭部、胸部、腹部、脚部”が規定されており、これらの各々に対応した模式画像がＲＯＭ１３２にデータ登録されている。そこで、本形態の薬液注入装置１００に所定操作を実行すると、図６に示すように、“頭部、胸部、腹部、脚部”の模式画像が人体形状に対応してタッチパネル１０５の画面上部に表示出力される。
【００３７】
また、上述の身体区分である“頭部”の模式画像には、複数の撮像部位として“脳部、顎部、首部”等の模式画像が関連されてデータ登録されており、同様に、“胸部”の模式画像には“心臓部、肺部”、“腹部”の模式画像には“胃部、肝臓部、…”、“脚部”の模式画像には“上部、下部”、などの模式画像が関連されてデータ登録されている。
【００３８】
そこで、タッチパネル１０５に人体形状で表示出力された複数の身体範囲の模式画像の１つが手動操作されると、図７に示すように、その１つの模式画像のみ上方にスキャナ機構の模式画像が表示出力され、手動操作された１つの模式画像のみが明転するとともに他の模式画像は暗転する。
【００３９】
同時に、その下部には関連する複数の撮像部位の模式画像が表示出力されるので、その表示出力された複数の撮像部位の模式画像の１つが手動操作されると、図８に示すように、その１つの模式画像のみが明転するとともに他の模式画像は暗転する。
【００４０】
条件記憶手段１４７は、人体の多数の撮像部位ごとに造影／生食注入機構１２３，１２４の動作条件をデータ記憶している。より具体的には、本形態の薬液注入装置１００では、前述のように被験者に造影剤を注入してから生理食塩水を注入するため、上述の動作条件は、造影注入機構１２３と生食注入機構１２４との注入動作を連動させるようにデータ設定されている。
【００４１】
さらに、造影注入機構１２３の動作条件は、造影剤による透視画像の造影度が最適値に近似する状態を維持するように、造影剤の注入速度を時間経過により変化させる可変パターンとしてデータ設定されている。この可変パターンは実験結果に基づいて最適に設定されるが、例えば、図１０に示すように、注入開始から所定時間までは注入速度を線形に低下させ、以後は注入速度を一定に維持する、などとして設定されている。
【００４２】
動作読出手段１４８は、部位入力手段１４６で選定された撮像部位に対応する動作条件を条件記憶手段１４７からデータ読出し、身体入力手段１４９は、図９に示すように、透視画像の撮像に関連する人体の身体事項として体重の入力操作を受け付ける。
【００４３】
薬液記憶手段１５１は、複数の造影剤の種類である製品名称ごとに、有効成分であるヨードの含有濃度を透視画像の撮像に関連する薬液事項としてデータ記憶している。つまり、本形態の薬液注入装置１００は、複数種類の造影剤を利用することができるが、その造影剤は製品ごとにヨードの含有濃度が相違している。被験者に造影剤を注入して透視画像を撮像する場合、ヨード濃度が相違すると造影度が相違するので、本形態の薬液注入装置１００は、造影剤の製品名称ごとにヨード濃度がデータ登録されている。
【００４４】
薬液表示手段１５２は、薬液記憶手段１５１がデータ記憶している複数の造影剤の製品名称を表示出力し、薬液入力手段１５３は、薬液表示手段１５２で表示出力された造影剤の種類から１つを選択する入力操作を受け付け、薬液読出手段１５４は、薬液入力手段１５３で選択された造影剤の種類に対応してヨード濃度をデータ読出する。
【００４５】
動作調整手段１５６は、ＣＰＵ１３１が所定の処理動作を実行する機能などに相当し、動作読出手段１４８によりデータ読出された動作条件を、身体入力手段１４９に入力操作された体重と、薬液読出手段１５４によりデータ読出されたヨード濃度と、に対応して調整する。
【００４６】
より具体的には、本形態の薬液注入装置１００では、前述のように造影剤の注入の動作条件として注入速度を時間経過により変化させる可変パターンがデータ登録されているが、この可変パターンは所定の注入総量を満足するようにデータ設定されている。
【００４７】
そして、被験者の体重に対応した造影剤のヨードの注入総量が、実験結果に基づいて“Ａ（ｇ／Ｋｇ）”などとデータ登録されている。そこで、被験者の体重が“Ｂ（Ｋｇ）”としてデータ入力されると、この体重に比例したヨードの注入総量が“Ａ×Ｂ（ｇ）”として算出される。
【００４８】
さらに、造影剤のヨード濃度が“Ｃ（ｇ／ｍｌ）”などとデータ読出されると、その造影剤の注入総量が含有濃度に反比例して“（Ａ×Ｂ）／Ｃ（ｍｌ）”として算出される。このように注入総量が算出されると、図１０に示すように、所定の波形で可変パターンがデータ登録されている場合、例えば、その波形とｘ／ｙ軸とで包囲される面積が注入総量に対応するように、その注入時間は変化されることなく可変パターンの波形が上下に移動される。
【００４９】
動作表示手段１５７は、動作調整手段１５６で調整された動作条件である注入総量を表示出力し、動作入力手段１５８は、動作表示手段１５７で表示出力された注入総量をデータ修正する手動操作を受け付ける。なお、このように動作入力手段１５８により注入総量のデータ修正がデータ入力された場合、動作調整手段１５６は、その入力データに対応して注入総量を調整する。
【００５０】
注入制御手段１５９は、ＣＰＵ１３１が処理データに対応して造影／生食注入機構１２３，１２４の駆動モータ１２１を駆動する機能などに相当し、動作調整手段１５６で調整された動作条件で造影／生食注入機構１２３，１２４を動作制御する。
【００５１】
圧力検出手段１６１は、ＣＰＵ１３１が造影／生食注入機構１２３，１２４のロードセル１２２の検出圧力をデータ認識する機能などに相当し、被験者に注入される造影剤と生理食塩水との圧力をリアルタイムに検出する。圧力表示手段１６２は、圧力検出手段１６１で検出される造影剤と生理食塩水との圧力から経時グラフをリアルタイムにデータ生成し、その圧力グラフをリアルタイムに表示出力する。
【００５２】
条件更新手段１６３は、ＣＰＵ１３１がカードドライブ１０７を動作制御する機能などに相当し、動作条件がデータ登録されているＰＣカード１０６がカードドライブ１０７に装填されると、このカードドライブ１０７によりＰＣカード１０６から動作条件をデータ読出して条件記憶手段１４７の動作条件をデータ更新する。
【００５３】
上述のような薬液注入装置１００の各種手段は、必要により操作パネル１０４などのハードウェアを利用して実現されるが、その主体はＲＯＭ１３２等の情報記憶媒体に格納されたリソースおよびコンピュータプログラムに対応してハードウェアであるＣＰＵ１３１が機能することにより実現されている。
【００５４】
このようなリソースは、例えば、人体の複数の身体区分の模式画像と多数の撮像部位の模式画像とを関連させたデータファイル、人体の多数の撮像部位ごとの造影／生食注入機構１２３，１２４の動作条件のデータファイル、複数の造影剤の製品名称ごとのヨード濃度のデータファイル、等からなる。
【００５５】
また、上述のコンピュータプログラムは、例えば、ＲＡＭ１３３などにデータ登録されている複数の身体区分の模式画像を人体形状に対応してタッチパネル１０５に表示出力させること、その画像表示させた複数の身体区分から１つを選択するタッチパネル１０５への入力操作を受け付けること、その選択された身体区分に対応して少なくとも１つの撮像部位の模式画像を表示出力させること、その画像表示させた撮像部位を選定する入力操作を受け付けること、その選定された撮像部位に対応する動作条件をデータ読出すること、体重の入力操作を受け付けること、データ登録されている複数の造影剤の製品名称を表示出力させること、その表示出力させた造影剤の種類から１つを選択する入力操作を受け付けること、選択された造影剤の種類に対応してヨード濃度をデータ読出すること、そのデータ読出された動作条件を入力操作された体重とデータ読出されたヨード濃度とに対応して調整すること、調整された動作条件である注入総量を表示出力させること、表示出力させた注入総量をデータ修正する手動操作を受け付けること、その入力データに対応して注入総量を調整すること、その調整された動作条件で造影／生食注入機構１２３，１２４を動作制御すること、造影／生食注入機構１２３，１２４で被験者に注入される造影剤と生理食塩水との圧力をロードセル１２２によりリアルタイムに検出すること、その検出する造影剤と生理食塩水との圧力から経時グラフをリアルタイムにデータ生成して表示出力させること、カードドライブ１０７に装填されたＰＣカード１０６から動作条件をデータ読出してＲＡＭ１３３の動作条件をデータ更新すること、等の処理動作をＣＰＵ１３１等に実行させるためのソフトウェアとしてＲＡＭ１３３等の情報記憶媒体に格納されている。
【００５６】
［実施の形態の動作］
上述のような構成において、本形態の薬液注入装置１００を使用する場合、図５に示すように、作業者（図示せず）はＣＴスキャナ３００の撮像ユニット３０１の近傍に薬液注入装置１００を配置し、その撮像ユニット３０１に位置する被験者（図示せず）に、図３に示すように、例えば、二股の延長チューブ２１０で２個の薬液シリンジ２００を連結する。そして、その薬液シリンジ２００のシリンダ部材２０１を注入ヘッド１１０の凹部１１２に保持させ、ピストン部材２０２をシリンジ駆動機構１２０に把持させる。
【００５７】
つぎに、作業者が薬液注入装置１００に作業開始を操作パネル１０４で入力操作すると、図１２に示すように、タッチパネル１０５に初期画面が表示出力される（ステップＳ１）。この初期画面は、図６に示すように、入力手順に対応して上方から下方まで各種の入力項目が配列されており、最上部には複数の身体区分の模式画像が人体形状に対応して表示出力される。
【００５８】
そこで、タッチパネル１０５に画像表示された複数の身体区分の模式画像の１つを作業者が手指で押圧すると（ステップＳ２）、図７に示すように、その選択された身体区分の模式画像のみ明転するとともに他の模式画像は暗転し、その選択された身体区分の模式画像の上方にスキャナ機構の模式画像が表示出力される。
【００５９】
同時に、その下部には選択された身体区分に関連する複数の撮像部位の模式画像がデータ読出されて表示出力されるので（ステップＳ３，Ｓ４）、その１つを作業者が手指で押圧すると（ステップＳ５）、図８に示すように、その選択された１つの模式画像のみが明転するとともに他の模式画像は暗転する。
【００６０】
上述のように撮像部位が選択されると、本形態の薬液注入装置１００では、その撮像部位に対応した動作条件がＲＡＭ１３３からデータ読出されるとともに（ステップＳ６）、デフォルトの体重と前回の造影剤の製品名称とがデータ読出される（ステップＳ７）。
【００６１】
そして、図９に示すように、そのデフォルトの体重と前回の製品名称とがデータ設定されて表示出力され（ステップＳ８）、その体重と製品名称とに対応して動作条件が調整される（ステップＳ９）。この動作条件の調整で注入総量が算出されるので、この算出された注入総量も表示出力される（ステップＳ１０）。
【００６２】
そこで、作業者は表示出力された体重と製品名称と注入総量とを確認し、それに満足すれば画面右上の“決定”なるアイコンを手指で押圧する（ステップＳ１４）。すると、薬液注入装置１００は、図１３に示すように、調整された動作条件で造影／生食注入機構１２３，１２４を動作制御するので（ステップＳ１５）、これで被験者に造影剤と生理食塩水とが注入される。
【００６３】
一方、表示出力された体重と製品名称と注入総量とを確認した作業者が、例えば、体重を入力操作する場合は、“体重”の項目の右側に配置されている“＋／−”のアイコンを手指で押圧する（ステップＳ１１）。すると、これに対応して体重の設定数値が変化して表示出力され、その体重に対応して動作条件が調整される（ステップＳ９）。
【００６４】
また、作業者が造影剤の種類を入力操作する場合は、“造影剤”の項目の右側に配置されている“選択”なるアイコンを手指で押圧する（ステップＳ１２）。すると、データ登録されている造影剤の製品名称がプルアップメニューなどで表示出力されるので、その１つを選択して手指で押圧すると、その造影剤の製品名称が設定されて表示される。これに対応してヨード濃度がデータ読出されるので、そのヨード濃度に対応して動作条件が調整される（ステップＳ９）。
【００６５】
また、作業者が注入総量を直接に入力操作する場合も、例えば、“注入予定量”の項目の右側に配置されている“＋／−”のアイコンを手指で押圧すると（ステップＳ１３）、これに対応して注入総量の設定数値が変化して表示出力され、その注入総量に対応して動作条件が調整される（ステップＳ９）。
【００６６】
そして、前述のように表示出力された体重と製品名称と注入総量とを確認した作業者が画面右上の“決定”なるアイコンを手指で押圧すると（ステップＳ１４）、薬液注入装置１００は、調整された動作条件で造影／生食注入機構１２３，１２４の駆動モータ１２２を動作制御する（ステップＳ１５）。
【００６７】
その場合、図１０に示すように、注入開始から所定時間までは注入速度を線形に低下させて以後は注入速度を一定に維持する可変パターンで造影剤が注入総量まで被験者に注入され、これが完了すると造影剤に比例した容量の生理食塩水が被験者に注入される。
【００６８】
上述のように被験者に造影／生食注入機構１２３，１２４で造影剤と生理食塩水とが注入されるとき、その注入圧力がロードセル１２２でリアルタイムに検出されるので（ステップＳ１６）、その注入圧力で経時グラフがリアルタイムにデータ生成されてタッチパネル１０５に表示出力される（ステップＳ１７，Ｓ１８）。
【００６９】
なお、上述のような注入動作の実行中に（ステップＳ１５〜Ｓ１８）、その注入圧力などから動作異常が検出されると（ステップＳ１９）、エラー発生がタッチパネル１０５にガイダンス表示され（ステップＳ２０）、注入動作が中止される（ステップＳ２２）。
【００７０】
また、作業者が所望によりタッチパネル１０５などに動作中止を入力操作しても（ステップＳ２１）、注入動作が中止される（ステップＳ２２）。そして、薬液注入装置１００は、動作条件である注入総量まで造影剤と生理食塩水とを注入すると（ステップＳ２３）、注入動作を終了して初期状態に復帰する（ステップＳ２４）。
【００７１】
なお、本形態の薬液注入装置１００は、上述のような注入動作を実行していないとき、所望によりＰＣカード１０６をカードドライブ１０７に装填して所定操作を実行することで、ＰＣカード１０６からＲＡＭ１３３に動作条件をダウンロードすることができる。
【００７２】
［実施の形態の効果］
本形態の薬液注入装置１００では、タッチパネル１０５に複数の身体区分の模式画像がタッチパネル１０５に人体形状で表示出力されるので、その１つを作業者が所望により手動操作すると、それに対応した複数の撮像部位の模式画像が表示出力される。そして、その１つを作業者が所望により手動操作すると、その撮像部位に対応した動作条件がデータ読出されて造影／生食注入機構１２３，１２４が動作制御される。
【００７３】
このため、極めて簡単な操作で被験者に造影剤を最適な条件で注入することができ、作業者が注入速度や注入総量などを数値入力する煩雑な作業が必要がないので、その入力ミスにより被験者に造影剤が適切でない条件で注入されることを防止できる。
【００７４】
特に、本形態の薬液注入装置１００では、複数の身体区分の模式画像が人体形状に表示出力されるので、より簡単かつ確実に身体区分を選択することができる。しかも、身体区分と撮像部位との模式画像がタッチパネル１０５に表示出力されて直接に手動操作されるので、その操作を簡単かつ確実に実行することができる。
【００７５】
さらに、本形態の薬液注入装置１００では、造影／生食注入機構１２３，１２４により被験者に造影剤と生理食塩水とが注入されるが、その連動も動作条件により自動的に実行されるので、煩雑な操作を必要とすることなく被験者に造影剤と生理食塩水とを適切に連動して注入することができる。
【００７６】
しかも、本形態の薬液注入装置１００では、可変パターンに対応して造影剤の注入速度を経時的に変化させるので、ＣＴ値が最適値に近似する状態を維持させることができ、ＣＴスキャナ３００は最適な透視画像を撮像することができる。しかも、造影剤の使用量を必要最小限とすることができるので、造影剤を節約することができるとともに、被験者の健康に寄与することができる。
【００７７】
なお、図１０に示すように、注入開始から所定時間までは注入速度を線形に低下させて以後は注入速度を一定に維持する可変パターンで造影剤を注入する実験を実施したところ、図１１に示すように、ＣＴ値が最適値に近似する状態が長時間、維持されることが確認された。
【００７８】
そして、上述のような可変パターンは撮像部位ごとに相違しており、その設定および操作は煩雑であるが、本形態の薬液注入装置１００は、作業者が模式画像で身体区分と撮像部位とを選択すれば適切な可変パターンが設定されるので、極めて簡単な操作で複雑な動作を実行させることができる。
【００７９】
さらに、本形態の薬液注入装置１００では、被験者に造影剤や生理食塩水を注入しているとき、その圧力がリアルタイムに検出されてタッチパネル１０５にグラフ表示されるので、作業者が注入圧力の変化をリアルタイムに確認することができる。
【００８０】
しかも、本形態の薬液注入装置１００では、被験者の体重と造影剤の種類とを入力操作すると、これらに対応して上述の動作条件が調整されるので、より良好な条件で被験者に造影剤を注入することができる。さらに、動作条件として調整された注入総量が表示出力されるので、これを作業者が確認してから注入動作を開始することができ、注入総量を作業者が所望により直接に調整することもできる。
【００８１】
それでいて、本形態の薬液注入装置１００では、上述のように模式画像で撮像部位を選択すると、デフォルト体重と前回の造影剤の種類とが自動的にデータ設定されるので、平均的な体格の被験者に前回と同一の造影剤を注入する場合には、身体区分と撮像部位との模式画像のみ選択すれば良く、その操作が極めて簡単である。
【００８２】
しかも、本形態の薬液注入装置１００では、ＰＣカード１０６から動作条件をダウンロードすることができるので、例えば、新製品の造影剤が発売された場合などでも、それに対応して簡単かつ確実に薬液注入装置１００の動作条件をバージョンアップすることができる。
【００８３】
［実施の形態の変形例］
本発明は上記形態に限定されるものではなく、その要旨を逸脱しない範囲で各種の変形を許容する。例えば、上記形態では薬液注入機構として造影／生食注入機構１２３，１２４を有する薬液注入装置１００が造影剤と生理食塩水とを注入することを例示したが、１個の薬液注入機構で造影剤のみを注入する薬液注入装置（図示せず）も実施可能である。
【００８４】
さらに、上記形態では動作条件により造影剤と生理食塩水との注入を連動させることを例示したが、その動作条件は所望により各種にデータ設定しておくことが可能である。例えば、造影剤を注入するときは延長チューブ２１０の連結具合を確認するために本番注入に先行して試験注入を実行することがあるが、この試験注入も動作条件により実行することが可能である。
【００８５】
また、本出願人が特願２００２−３６３６７５号として出願したように、動作条件により造影剤を生理食塩水で希釈しながら注入することも可能である。その場合、適切なヨード濃度は撮像部位により相違するので、従来は撮像部位を変更するごとに造影剤を交換していた。
【００８６】
しかし、本形態の薬液注入装置１００では、撮像部位と造影剤の種類とをデータ入力すれば、その撮像部位に対応して造影剤を適切に希釈する動作条件がデータ設定される。このため、高濃度の造影剤を生理食塩水とともに薬液注入装置１００に装填しておけば、造影剤を交換することなく各種の撮像部位を適切に造影して撮像することが可能であり、さらに作業負担を軽減することができる。
【００８７】
しかも、造影剤を生理食塩水で希釈することでヨードの含有濃度を自在に可変することができるので、市販品には存在しないヨードの含有濃度で被験者に造影剤を注入することもできる。このような希釈を手動操作することは作業が煩雑であるが、本形態の薬液注入装置１００では、極めて簡単な操作で選択される動作条件により造影剤を適切に希釈することが可能である。
【００８８】
また、上記形態ではタッチパネル１０５に体重のデフォルト数値を表示出力し、それを作業者にアイコン操作で増減させることで体重を入力操作させることを例示した。しかし、体重の数値をテンキー（図示せず）などで直接に入力操作させることも可能であり、“１０ｋｇ以下，１０〜２０ｋｇ，…”などの体重区分を表示出力して選択操作させることも可能である。
【００８９】
さらに、本出願人が特願２００２−３９３９６８号として出願したように、被験者のカルテが電子データとされている場合、そこから体重をデータ読出することも可能である。その場合、例えば、被験者ごとに電子カルテがデータ登録されているＰＣカード１０６などの情報記憶媒体を用意しておき、その情報記憶媒体から薬液注入装置１００に体重をダウンロードすることが可能である。
【００９０】
また、被験者ごとの電子カルテがデータ登録されている外部のデータベースサーバ（図示せず）を薬液注入装置１００にオンライン接続しておき、そのデータベースサーバから薬液注入装置１００に体重をダウンロードするようなことも可能である。
【００９１】
さらに、薬液注入装置１００に電子体重計（図示せず）をオンライン接続しておき、その電子体重計で被験者の体重をリアルタイムに計測して薬液注入装置１００にデータ入力することも可能である。また、ＣＴスキャナ３００には被験者を保持する寝台が存在するので、例えば、その寝台で被験者の体重を測定して薬液注入装置１００にデータ提供することも可能である。
【００９２】
さらに、上記形態では透視画像の撮像に関連する人体の身体事項として体重を薬液注入装置１００に入力操作させることを例示したが、このような身体事項として、体型、年齢、性別、等を入力操作させることも可能である。ただし、本出願人が各種実験で検証したところ、透視画像の撮像に多大に影響する身体事項は体重のみであることが確認されたので、上述のように入力操作する身体事項を体重のみとすることは有用である。
【００９３】
また、上記形態では複数の造影剤の製品名称を表示出力して作業者に選択操作させることで、対応するヨード濃度をデータ読出することを例示したが、例えば、複数のヨード濃度を表示出力して作業者に選択操作させることや、ヨード濃度をテンキーなどで直接に入力操作させることも可能である。
【００９４】
さらに、上記形態では撮像部位ごとにデータ登録されている動作条件を、入力操作される体重とヨード濃度とに対応して調整することを例示したが、例えば、動作条件を複数の体重区分ごとやヨード濃度ごとにデータ登録しておき、体重区分やヨード濃度の入力操作に対応して動作条件を選択的にデータ読出することも可能である。
【００９５】
なお、本形態の薬液注入装置１００は各種のＣＴスキャナ３００と組み合わせて利用できるが、ＣＴスキャナ３００は製品などにより撮像事項である撮像速度が相違している。そこで、これに対処するため、薬液注入装置１００に動作条件をＣＴスキャナ３００の複数の種類や撮像速度ごとにデータ登録しておき、ＣＴスキャナ３００の複数の種類や撮像速度をデータ表示させて選択操作させることで動作条件をデータ読出する可能である。
【００９６】
また、薬液注入装置１００にＣＴスキャナ３００の種類や撮像速度をデータ表示させて選択操作させ、それに対応して動作条件を調整することも可能である。さらに、上述の種類や撮像速度をＣＴスキャナ３００や情報記憶媒体から薬液注入装置１００にデータ入力し、それに対応して動作条件のデータ読出や調整を実行することも可能である。
【００９７】
また、上記形態では情報記憶媒体であるＰＣカード１０６から薬液注入装置１００に動作条件をダウンロードすることを例示したが、その情報記憶媒体としては各種製品を使用することが可能である。さらに、薬液注入装置１００が動作条件をＰＣカード１０６からＲＡＭ１３３に複写せず、装填されたＰＣカード１０６からリアルタイムにデータ読出することも可能である。また、外部のデータベースサーバに動作条件をデータ登録しておき、そのデータベースサーバから薬液注入装置１００が動作条件をオンラインでダウンロードすることも可能である。
【００９８】
さらに、上記形態では薬液注入装置１００がＰＣカード１０６からダウンロードすることでＲＡＭ１３３の動作条件をデータ更新することを例示したが、例えば、ＲＡＭ１３３からデータ読出した動作条件をタッチパネル１０５に表示出力させ、それを手動操作でデータ修正してデータ更新することも可能である。
【００９９】
また、上記形態では薬液注入装置１００の注入装置本体１０３の上面にタッチパネル１０５が装着されており、注入装置本体１０３の側部上方に可動アーム１０８で注入ヘッド１１０が装着されていることを例示したが、図１４に示すように、注入ヘッド１１０にタッチパネル１０５を直接に並設することも可能である。
【０１００】
この場合、造影／生食注入機構１２３，１２４の注入圧力をタッチパネル１０５でグラフ表示するとき、その造影／生食注入機構１２３，１２４とタッチパネル１０５とが隣接しているので、より直接的に薬液の注入圧力を認識することができる。
【０１０１】
さらに、上記形態では被験者に注入される造影剤や生理食塩水の圧力を、薬液シリンジ２００のピストン部材２０２を押圧する圧力から算出することを例示したが、例えば、薬液シリンジ２００や延長チューブ２１０の内部に感圧素子を設置して造影剤などの注入圧力を直接に検出することも可能である。
【０１０２】
また、上記形態では説明を簡単とするためにピストン部材２０２の押圧圧力から造影剤などの注入圧力が単純に算出されることを想定したが、実際には現在市販されている薬液シリンジ２００は各種サイズがあり、そのピストン部材２０２の端面の面積も各種である。
【０１０３】
そして、造影剤などの注入圧力はピストン部材２０２の押圧圧力と端面面積との両方に依存するので、薬液注入装置１００で各種サイズの薬液シリンジ２００を利用する場合は、その薬液シリンジ２００の種類ごとにピストン部材２０２の端面面積もデータ登録しておき、その薬液シリンジ２００の種類が入力操作されるとピストン部材２０２の端面面積をデータ読出することが好適である。
【０１０４】
さらに、注入ヘッド１１０が装着される薬液シリンジ２００の造影剤の種類を判定することで、造影剤の種類の入力操作を無用とし、さらに作業負担を軽減することが可能である。これを実験するためには、例えば、本出願人が特願２００２−０２１７６２号として出願したように、各種の薬液シリンジ２００が、各々に専用のシリンダアダプタ（図示せず）で注入ヘッド１１０に装着される場合、注入ヘッド１１０がシリンダアダプタ（図示せず）から薬液シリンジ２００および造影剤の識別データを取得することが可能である。
【０１０５】
また、各種の薬液シリンジ２００の各々にバーコードなどで造影剤の種類などをデータ付与しておき（図示せず）、そのバーコードなどを注入ヘッド１１０がデータ読取することでも、薬液注入装置１００が造影剤の識別データを取得することが可能である。
【０１０６】
さらに、上記形態では造影剤の種類の前回の設定を保存することで、造影剤を変更しない限りは種類の入力操作を無用とすることを例示したが、例えば、撮像部位の前回の設定を保存することも可能である。薬液注入装置１００を使用する環境が、例えば、脳外科の場合は脳部しか撮像せず、心臓外科の場合は心臓しか撮像しないことがあるので、このような場合には、撮像部位の前回の設定を保存して変更が必要となるまで入力操作を無用とすることは有用である。
【０１０７】
また、上記形態では薬液注入装置１００の薬液注入とＣＴスキャナ３００の画像撮像とが個別に手動操作されて実行されることを想定したが、薬液注入装置１００とＣＴスキャナ３００とが相互通信して各種動作を連動させることも可能である。
【０１０８】
その場合、薬液注入装置１００で撮像部位の模式画像が入力操作されると、これに連動してＣＴスキャナ３００に撮像部位をデータ設定するようなことができるので、薬液注入装置１００とともにＣＴスキャナ３００の操作負担も軽減することができる。
【０１０９】
さらに、造影剤が撮像部位まで到達する所要時間も動作条件にデータ設定しておき、その動作条件に対応して造影剤の注入開始から所定時間の経過後に画像撮像を開始させることも可能である。なお、造影剤が撮像部位まで到達する所要時間を薬液注入装置１００が試験注入で計測して動作条件にデータ設定することも可能であり、この場合は適切な所要時間を確実にデータ設定することができる。
【０１１０】
さらに、上記形態では、図１０に示すように、注入開始から所定時間までは注入速度を線形に低下させて以後は注入速度を一定に維持する可変パターンを例示したが、この可変パターンは実験結果に基づいて各種にデータ設定することが可能であり、注入速度を非線形に変化させることも可能である。
【０１１１】
なお、図１５に示すように、本発明者が注入開始から所定時間までは注入速度を線形に低下させて以後は注入速度を線形に上昇させる可変パターンで注入実験を実施したところ、図１６に示すように、この場合もＣＴ値が最適値に近似する状態が長時間まで維持されることが確認された。
【０１１２】
さらに、上記形態では人体形状に対応した身体区分の模式画像が、人体を側方から視認した形状で画面上方に横長に表示出力されることを例示した。しかし、図１７に示すように、人体形状に対応した身体区分の模式画像を、人体を正面から視認した形状とすることも可能であり、画面側方に縦長に表示出力することも可能である。ただし、前述のように操作手順に対応して入力項目を上方から下方まで順番に配置することは、その操作手順を直感的に理解させることが容易なので有用である。
【０１１３】
また、上記形態では撮像部位の選択とともに体重と造影剤の種類との入力操作を必須とすることを例示したが、例えば、図１８に示すように、撮像部位の選択のみ実行すれば、体重や造影剤の種類は入力操作せずとも注入速度／総量／時間がデータ設定されることも可能である。
【０１１４】
このようなことは、造影剤が一種類しかない場合、各種の造影剤に実質的な差異がない場合、使用する造影剤が特定されていて事前にデータ登録されている場合、標準的な体重の被験者のみ撮像する場合、等に有効であり、さらに作業負担を軽減することが可能である。
【０１１５】
さらに、上記形態では透視撮像装置としてＣＴスキャナ３００を使用し、薬液注入装置１００がＣＴ用の造影剤を注入することを例示したが、例えば、透視撮像装置としてＭＲＩ装置やＰＥＴ装置を使用し、それ用の造影剤を薬液注入装置が注入することも可能である。
【０１１６】
また、上記形態ではＲＡＭ１３３等に格納されているコンピュータプログラムに対応してＣＰＵ１３１が動作することにより、薬液注入装置１００の各種機能として各種手段が論理的に実現されることを例示した。しかし、このような各種手段の各々を固有のハードウェアとして形成することも可能であり、一部をソフトウェアとしてＲＡＭ１３３等に格納するとともに一部をハードウェアとして形成することも可能である。
【０１１７】
【発明の効果】
本発明の薬液注入装置では、人体の多数の撮像部位ごとに薬液注入機構の動作条件をデータ記憶しており、人体の複数の身体区分と多数の撮像部位との模式画像を関連させてデータ記憶しており、複数の身体区分の模式画像を人体形状に対応して表示出力し、画像表示された複数の身体区分から１つを選択する入力操作を受け付け、選択された身体区分に対応して少なくとも１つの撮像部位の模式画像を表示出力し、画像表示された撮像部位を選定する入力操作を受け付け、選定された撮像部位に対応する動作条件をデータ読出し、データ読出された動作条件で薬液注入機構を動作制御することにより、作業者が手動操作で身体区分を模式画像で選択してから撮像部位を模式画像で選択すれば、その撮像部位に対応した動作条件で被験者に造影剤が注入されるので、簡単な操作で被験者に造影剤を最適な条件で注入することができ、作業者が注入速度や注入総量などを数値入力する煩雑な作業が必要がないので、その入力ミスにより被験者に造影剤が適切でない条件で注入されることを防止できる。
【図面の簡単な説明】
【図１】本発明の実施の形態の薬液注入装置の論理構造を示す模式的なブロック図である。
【図２】薬液注入装置の回路構造を示すブロック図である。
【図３】薬液注入装置の注入ヘッドにシリンジを装着する状態を示す斜視図である。
【図４】薬液注入装置の外観を示す斜視図である。
【図５】透視画像装置であるＣＴスキャナの外観を示す斜視図である。
【図６】ディスプレイパネルであるタッチパネルの初期の表示画面を示す模式的な正面図である。
【図７】身体区分が選択された状態の表示画面を示す模式的な正面図である。
【図８】撮像部位が選択された状態の表示画面を示す模式的な正面図である。
【図９】各種データが入力操作された状態の表示画面を示す模式的な正面図である。
【図１０】動作条件である注入速度の可変パターンを示す特性図である。
【図１１】可変パターンによるＣＴ値の経時変化を示す特性図である。
【図１２】薬液注入装置の処理動作の前半部分を示すフローチャートである。
【図１３】後半部分を示すフローチャートである。
【図１４】変形例の注入ヘッドの外観を示す斜視図である。
【図１５】変形例の可変パターンを示す特性図である。
【図１６】変形例の可変パターンによるＣＴ値の経時変化を示す特性図である。
【図１７】変形例の表示画面を示す模式的な正面図である。
【図１８】変形例の表示画面を示す模式的な正面図である。
【符号の説明】
１００    薬液注入装置
１０５    ディスプレイパネルであるタッチパネル
１０６    ＰＣカード
１０７    カードドライブ
１２３    薬液注入機構である造影注入機構
１２４    薬液注入機構である生食注入機構
１４１    画像記憶手段
１４２    区分表示手段
１４３    区分入力手段
１４４    部位表示手段
１４６    部位入力手段
１４７    条件記憶手段
１４８    動作読出手段
１４９    身体入力手段
１５１    薬液記憶手段
１５２    薬液表示手段
１５３    薬液入力手段
１５４    薬液読出手段
１５６    動作調整手段
１５７    動作表示手段
１５８    動作入力手段
１５９    注入制御手段
１６１    圧力検出手段
１６２    圧力表示手段
１６３    条件更新手段
２００    薬液シリンジ
２０１    シリンダ部材
２０２    ピストン部材
３００    透視撮像装置であるＣＴスキャナ
【図１】
2004248734.tif 000003
【図２】
2004248734.tif 000004
【図３】
2004248734.tif 000005
【図４】
2004248734.tif 000006
【図５】
2004248734.tif 000007
【図６】
2004248734.tif 000008
【図７】
2004248734.tif 000009
【図８】
2004248734.tif 000010
【図９】
2004248734.tif 000011
【図１０】
2004248734.tif 000012
【図１１】
2004248734.tif 000013
【図１２】
2004248734.tif 000014
【図１３】
2004248734.tif 000015
【図１４】
2004248734.tif 000016
【図１５】
2004248734.tif 000017
【図１６】
2004248734.tif 000018
【図１７】
2004248734.tif 000019
【図１８】
2004248734.tif 000020